(57)【特許請求の範囲】
【請求項１】
基端側に駆動装置を配するとともに先端側を開口させてなる洗濯槽と、
前記洗濯槽の軸線方向に沿って当該洗濯槽の内周面に配設される複数の中空のバランサと、
前記バランサの各々に個別に調整水を注水する注水装置とを備えてなる洗濯機であって、
前記洗濯槽が、軸線方向が略水平又は水平に近い角度傾斜して延出してなり前記軸線周りに回転可能に支持されたドラムを有するものであり、
前記バランサが、前記注水装置により前記洗濯槽の先端側から注水された前記調整水の基端側への流れを抑制することにより前記調整水を先端側に滞留させ得る仕切部と、注水された前記調整水を前記洗濯槽の基端側から排出させ得る出口部とを有し、
前記仕切部が、前記洗濯槽の先端側から基端側へ向けて前記ドラムの回転中心に漸次近接するよう傾斜した傾斜面を有していることを特徴とする洗濯機。
【請求項２】
前記バランサが、洗濯物を攪拌し得るバッフルであることを特徴とする請求項１記載の洗濯機。
【発明の詳細な説明】
【技術分野】
【０００１】
本発明は、本発明は脱水機能を有する洗濯機に関する。
【背景技術】
【０００２】
一般家庭あるいはコインランドリーなどに設置される洗濯機は、洗濯脱水機能、洗濯脱水乾燥機能を備えるものがある。
【０００３】
脱水機能を有する洗濯機は、回転ドラム内で洗濯物の偏りにより振動や騒音が発生する。また洗濯物の偏りが大きければ、回転時の回転ドラムの偏心が大きくなり、回転に大きなトルクが必要となるので脱水運転を開始することができない。これを解消するためには、使用者が洗濯機の運転を停止して手作業により洗濯物の偏りを解消していた。
【０００４】
かかる煩瑣な作業を解消するために、洗濯物の偏りであるアンバランスの大きさが所定値より大きいと判定した場合に、位置検出手段の出力タイミングに応じて遠心力が重力よりも小さくなる回転速度になるまで回転ドラムを減速させて洗濯物の偏在を解消するようにしたものが提案されている（特許文献１参照）。
【０００５】
また、脱水時に洗濯物が回転ドラムの前部に偏るアンバランスの発生を防止するため、回転ドラムの前部および後部に対して配設した加速度センサにより、検出された振動量の差を算出し、洗濯物が回転ドラムの前部に偏るアンバランス状態を検知するようにしたものが提案されている（特許文献２）。
【先行技術文献】
【特許文献】
【０００６】
【特許文献１】特開平９−２９００８９号公報
【特許文献２】特開２００９−８２５５８号公報
【発明の概要】
【発明が解決しようとする課題】
【０００７】
上記特許文献１に開示された技術は、回転ドラムの回転を減速することにより遠心力を逓減させ、重なり合っている洗濯物を重力により落下させるようにしたものである。しかしながら、この従来技術では互いに絡まりあって塊となっている洗濯物は、そのまま落下することになるので、この塊を解きほぐすことはできない。このような状態で回転ドラムを回転すると、アンバランスは解消されていないので、再度アンバランスが検出され、回転ドラムの減速が繰り返されることになる。
【０００８】
一方、上記特許文献２に開示された技術は、回転ドラムの回転時にあって、前部の振動検出手段によって検出された振動値と後部の検出手段によって検出された振動値との差を算出する。そして、この振動値の差が予め設定された閾値を超えた場合、回転ドラムの回転を減速または停止するようにしたものである。
【０００９】
しかしながら、この従来技術によっても互いに絡まりあって塊となっている洗濯物は、依然として解きほぐされず回転ドラム内に残存することになり、アンバランスを解消する根本的な解決策とはならない。
【００１０】
さらに上記特許文献１、２によると、回転ドラムの回転を減速あるいは停止するようにしているので、脱水運転を繰り返す毎に起動電力が必要となり消費電力が大きくなるばかりか、洗濯に要する時間すなわち運転時間が遅延してしまうという問題がある。特にコインランドリーに設置される洗濯機にあっては、運転時間の遅延は店舗における顧客の回転効率の低下を招来してしまうことになる。
【００１１】
なお、これらの問題は、回転ドラム（洗濯槽）を備えるドラム式洗濯機だけでなく、縦型の洗濯機でも同様に起こり得ることである。
【００１２】
本発明は上述したような点に着目したものであり、洗濯槽内に洗濯物の偏在があっても洗濯槽の回転を減速あるいは停止することを回避することができ、脱水運転時に洗濯槽のアンバランスを確実且つ速やかに解消することにより、運転時間の遅延を有効に回避することができる洗濯機を提供する。
【課題を解決するための手段】
【００１３】
本発明は以上のような問題点を鑑み、次のような手段を講じたものである。
【００１４】
本発明の洗濯機は、基端側に駆動装置を配するとともに先端側を開口させてなる洗濯槽と、前記洗濯槽の軸線方向に沿って該洗濯槽の内周面に配設される複数の中空のバランサと、前記バランサの各々に個別に調整水を注水する注水装置とを備えてなる洗濯機であって、前記洗濯槽が、軸線方向が略水平又は水平に近い角度傾斜して延出してなり前記軸線周りに回転可能に支持されたドラムを有するものであり、前記バランサが、前記注水装置により前記洗濯槽の先端側から注水された前記調整水の基端側への流れを抑制することにより前記調整水を先端側に滞留させ得る仕切部と、注水された前記調整水を前記洗濯槽の基端側から排出させ得る出口部とを有し、前記仕切部が、前記洗濯槽の先端側から基端側へ向けて前記ドラムの回転中心に漸次近接するよう傾斜した傾斜面を有していることを特徴とする。
【００１５】
また本発明は、バランサが、洗濯物を攪拌し得るバッフルであることを特徴とする。
【発明の効果】
【００１９】
本発明によれば、仕切部を設けることにより調整水を、洗濯槽のアンバランスの影響が最も顕著に表れる、駆動装置から最も離間した箇所である洗濯槽の先端側に重点的に貯留させることで、同じ調整水の量で先端側から基端側まで均一に配したときよりも、より脱水運転中の洗濯槽に大きな加重を加えることができる。これにより、脱水運転時に洗濯槽のアンバランスを確実且つ速やかに解消することができる。その結果、調整水の量の節約が可能となるのみならず、調整水の注水の要する時間や機会を有効に削減することができ、洗濯物の偏在による運転時間の遅延を有効に回避することができる。
また、仕切部が、洗濯槽の先端側から基端側へ向けてドラムの回転中心に漸次近接するよう傾斜した傾斜面を有している本発明によれば、調整水はドラムの回転による遠心力が作用することにより洗濯槽の先端側により優先的に貯留されることで、より少ない調整水の量でバランサの作用を有効に発揮させることができ、調整水の量の節減並びに注水時間の短縮による運転時間の短縮にも資する。
【００２０】
また、バランサをバッフルであるようにした本発明によれば、洗濯槽のバランス調整と洗濯物を掻き上る等により攪拌する両機能を得ることができる。
【図面の簡単な説明】
【００２４】
【図１】本発明の一実施形態に係る洗濯機１の断面を模式的に示す図。
【図２】同洗濯機１の要部を示す作用説明図。
【図３】本発明の第二実施形態に係る洗濯機１の断面を模式的に示す図。
【図４】同洗濯機１の要部を示す作用説明図。
【図５】同発明の第三実施形態に係る洗濯機１の要部の断面を模式的に示す図。
【発明を実施するための形態】
【００２５】
＜第一実施形態＞
【００２６】
以下、本発明の一実施形態を図に基づいて詳細に説明する。
【００２７】
図１は本実施形態の洗濯機１の構成を示す模式的な断面図である。図２は、本実施形態の洗濯機１の部分的な縦断面を示した作用説明図である。
【００２８】
本実施形態の洗濯機１は、例えばコインランドリーや家庭にて好適に使用され得るものであり、洗濯機本体１ａと、略水平に延出してなる軸線Ｓ１を有した外槽３及びドラム２からなる洗濯槽１ｂと、受水ユニット５及びノズルユニット６を有する注水装置１ｃと、駆動装置４０と、図示しない制御手段とを備えたものである。
【００２９】
図１に示す洗濯機本体１ａは、略直方体形状である。洗濯機本体１ａの前面１０ａには、ドラム２に対して洗濯物を出し入れするための開口１１が形成されるとともに、この開口１１を開閉可能な開閉蓋１１ａが取り付けられる。
【００３０】
外槽３は、洗濯機本体１ａの内部に配置された有底筒状の部材であり、内部に洗濯水を貯留可能である。図１に示すように、外槽３の外周面３ａには例えば、左右、垂直及び奥行きの３方向の加速度を検出可能な加速度センサ１２が取り付けられる。
【００３１】
ドラム２は、外槽３内において外槽３と同軸に配置されるとともに、回転自在に支持される有底筒状の部材である。ドラム２は、内部に洗濯物を収容可能で、その壁面２ａに多数の通水孔２ｂ（図１参照）を有する。
【００３２】
駆動装置４０は、図１に示すように、図示しないモータを主体とし、ドラム２の底部２ｃに向けて延出する駆動軸１７を回転させて、ドラム２に駆動力を与え、ドラム２を回転させる。
【００３３】
図１に示すように、ドラム２の内周面２ａ１には、周方向に等間隔（等角度）でバランサとしてのバッフル（注水管）７が３つ設けられる。各バッフル７は、ドラム２の基端部２ｃから先端部に亘って上下方向に延び、ドラム２の内周面２ａ１から軸線Ｓ１に向けて突出して形成される。また各バッフル７は中空状であり、図示しないが横断面形状が円弧状に形成される。
【００３４】
受水ユニット５は、導水樋５ａが例えばドラム２の軸線Ｓ１に向けて径方向に三層重層されて構成されるもので、図３に示すようにドラム２の内周面２ａ１に固定される。導水樋５ａは、バッフル７と同数だけ設けられ、単独で何れかのバッフル７に調整水Wを流せる通水経路が内部に形成される。そしてバッフル７の内部には、図１に示すように連通部材５ａ１が接続され、受水ユニット５から調整水Wが供給される。
【００３５】
このような受水ユニット５とバッフル７とは、連通部材５ａ１でそれぞれ接続される
【００３６】
ノズルユニット６は、このような導水樋５ａに個別に調整水Wを注水するものである。ノズルユニット６は、３本の注水ノズル６ａと、これらの注水ノズル６ａにそれぞれ接続される給水バルブ６２ａとを有する。注水ノズル６ａは、導水樋５ａと同数だけ設けられ、それぞれ別々の導水樋５ａに注水可能な位置に配置される。なお、本実施形態では調整水Wとして水道水が用いられる。また、給水バルブ６２ａとしては、方向切換給水バルブを採用することも可能である。
【００３７】
このような構成であると、排水バルブ５０ａが開かれて外槽３内の洗濯水が排水口５０より排出される脱水工程では、ノズルユニット６の何れかの注水ノズル６ａから受水ユニット５の導水樋５ａ内に注水された調整水Wは、連通部材５ａ１を介してバッフル７内に流れ込む。例えば、何れかの注水ノズル６ａから調整水Wが注水される場合には、図２に矢印で示すように、導水樋５ａから連通部材５ａ１を介してバッフル７に調整水Wが流れ込む。バッフル７内に流れ込んだ調整水Wは、ドラム２が高速回転状態にあると、遠心力によりドラム２の内周面２ａ１にはりついて滞留する。これにより当該バッフル７の重量が増加し、ドラム２のバランスが変化する。このようにバッフル７は、遠心力により調整水Ｗを貯めることが可能なポケットバッフル構造である。そして、脱水工程が終了に近づいてドラム２の回転速度が低下すると、バッフル７内の遠心力が次第に減衰し、調整水Wが重力によって流れ出て、排水管５を介して外槽３外へ排水される。このとき、調整水Wは開口部７１を介してパルセータの下外方に流れ込む。そのため、調整水Wは、ドラム２内の衣類を濡らすことなく排水される。
【００３８】
ここで、本実施形態に係る洗濯機１は、基端１ｅ側に駆動装置４０を配するとともに先端１ｄ側を開口させてなる洗濯槽１ｂと、洗濯槽１ｂの軸線Ｓ１方向に沿って当該洗濯槽１ｂの内周面であるドラム２の内周面２ａ１に配設される複数の中空のバランサたるバッフル７と、バッフル７の各々に個別に調整水Wを注水する注水装置１ｃとを備えてなる洗濯機１であって、注水された調整水Wが洗濯槽１ｂの先端１ｄ側から優先的に滞留させることができる構造を備えたことを特徴とする。以下、本実施形態の具体的な構成についてバランサであるバッフル７の構成を中心に説明する。
【００３９】
バッフル７は、注水装置１ｃにより洗濯槽１ｂの先端１ｄ側から注水された調整水Wの基端１ｅ側への流れを抑制することにより調整水Wを先端１ｄ側に滞留させ得る仕切部７１と、注水された調整水Wを洗濯槽１ｂの基端１ｅ側から排出させ得る出口部７２とを有していることを特徴とする。
【００４０】
仕切部７１は、軸心方向から傾斜した方向に面するように外壁から設けた傾斜壁７３を主体としてなるものである。そしてこの傾斜壁７３の表面が、洗濯槽１ｂの先端１ｄ側から基端１ｅ側へ向けてドラムの回転中心に漸次近接するよう傾斜した傾斜面７４である。
【００４１】
出口部７２は、注水装置１ｃを構成する５ａ１から一定量以上注水された調整水Wを洗濯槽１ｂの基端１ｅ側から排出させ得るものである。
【００４２】
そして図２では、脱水工程中に複数回調整水Wが注水されるバッフル７の挙動について模式的に示している。このように、同図では一回毎の調整水Wの注水を断面にて示している。一回目の注水において、バッフル７の先端１ｄ近傍に調整水Wが集中するようになっているので、最も少ない注水量であっても、その調整水Wがバッフル７の先端１ｄに優先して集中するようになっているので、バッフル７への注水量が少量、換言すればバッフル７への注水回数が少なくとも洗濯槽１ｂの偏心を有効に解消できるようになっている。なお、バッフル７への注水回数が増すごとに、調整水Wは定量的に増加するが、洗濯槽１ｂへの影響すなわち偏心たるアンバランスの解消度合いは漸次減少していく。
【００４３】
また同図に示すようにこのバッフル７は出口部７２が、所領量以上の調整水Wは優先的に洗濯槽１ｂ外へ排出し得るように傾斜面７４の先端１ｄに連続して設けられている。これにより、バッフル７に一定以上の調整水Wが注水されることが抑止され、過度の注水による誤制御の招来を有効に回避している。
【００４４】
このように本実施形態の洗濯機１は、バランサたるバッフル７が、注水装置１ｃにより洗濯槽１ｂの先端１ｄ側から注水された調整水Wの基端１ｅ側への流れを抑制することにより調整水Wを先端１ｄ側に滞留させ得る仕切部７１と、注水された調整水Wを洗濯槽１ｂの基端１ｅ側から排出させ得る出口部７２とを備える。
【００４５】
このような構成であると、仕切部７１を設けることにより調整水Wを、洗濯槽１ｂのアンバランスの影響が最も顕著に表れる、駆動装置４０から最も離間した箇所である洗濯槽１ｂの先端１ｄ側に重点的に貯留させることで、同じ調整水Wの量で先端１ｄ側から基端１ｅ側まで均一に配したときよりも、より脱水運転中の洗濯槽１ｂに大きな加重を加え得るものとなっている。これにより、脱水運転時に洗濯槽１ｂのアンバランスを確実且つ速やかに解消することができる。その結果、調整水Wの量の節約が可能となるのみならず、調整水Wの注水の要する時間や機会を有効に削減することができ、洗濯物の偏在による運転時間の遅延を有効に回避せしめている。その結果、洗濯機１がコインランドリー店舗に設置されている態様のものであれば、運転時間の遅延の回避により、店舗の回転効率の向上に資するものとなる。また洗濯機１が家庭に設置されている態様のものであれば、運転時間の遅延の回避により、使用者の時間の有効利用に資する。
【００４６】
また本実施形態では、バランサをバッフル７であるようにしているので、洗濯槽１ｂのバランス調整と洗濯物を掻き上る等により攪拌する両機能を実現せしめている。
【００４７】
さらに本実施形態では、仕切部７１が、洗濯槽１ｂの先端１ｄ側から基端１ｅ側へ向けてドラムの回転中心に漸次近接するよう傾斜した傾斜面７４を有しているので、調整水Wはドラムの回転による遠心力が作用することにより洗濯槽１ｂの先端１ｄ側により優先的に貯留されることで、より少ない調整水Wの量でバランサとしての作用を有効に発揮させることができ、調整水Wの量の節減並びに注水時間の短縮による運転時間の短縮に特に資するものとなっている。
【００４８】
以下、本発明の他の実施形態について説明する。これら各実施形態において、上記実施形態の構成要素に相当するものについては同じ符号を付すとともに、その詳細な説明を省略する。
【００４９】
＜第二実施形態＞
【００５０】
図３は本発明の第二実施形態の洗濯機１の構成を示す模式的な断面図である。図４は、本実施形態の洗濯機１の部分的な縦断面を示した作用説明図である。
【００５１】
本実施形態の洗濯機１は、洗濯機本体１ａと、略水平に延出してなる軸線Ｓ１を有した外槽３及びドラム２からなる洗濯槽１ｂと、受水ユニット５及びノズルユニット６を有する注水装置１ｃと、駆動装置４０と、図示しない制御手段とを備える点は、上記第一実施形態同様である。
【００５２】
図３に示す洗濯機本体１ａは、その前面１０ａが若干上方に向いて面することにより、ドラム２に対して洗濯物を出し入れするための開口１１が斜め上方を向いて形成され、この開口１１を開閉可能な開閉蓋１１ａを使用者が斜め上方から開閉する態様のものである。すなわち本実施形態に係る洗濯機１は、洗濯槽１ｂが斜め方向に取り付けられた、所謂斜めドラム式全自動洗濯機と称されるものである。
【００５３】
本実施形態に係る洗濯機１についても上記実施形態同様、基端１ｅ側に駆動装置４０を配するとともに先端１ｄ側を開口させてなる洗濯槽１ｂと、洗濯槽１ｂの軸線Ｓ１方向に沿って当該洗濯槽１ｂの内周面であるドラム２の内周面２ａ１に配設される複数の中空のバランサたるバッフル７と、バッフル７の各々に個別に調整水Wを注水する注水装置１ｃとを備えてなるものである。以下、本実施形態に示すバランサたるバッフル７について説明する。
【００５４】
このバッフル７は、上記実施形態同様、注水装置１ｃにより洗濯槽１ｂの先端１ｄ側から注水された調整水Wの基端１ｅ側への流れを抑制することにより調整水Wを先端１ｄ側に滞留させ得る仕切部７１と、注水された調整水Wを洗濯槽１ｂの基端１ｅ側から排出させ得る出口部７２とを有している。そして本実施形態に係るバッフル７は、仕切部７１が、バッフル７の外壁面から内方に向けて立設され先端１ｄ側に位置づけられ優先的に調整水Wを貯留するための優先貯留領域７５ａとこの優先貯留領域７５ａから出口部７２を介して基端１ｅ側に位置づけられ調整水Wを排出するための排出助長領域７５ｂとに仕切る仕切立壁７５であることを特徴としている。
【００５５】
そして図４では、脱水工程中に複数回調整水Wが注水されるバッフル７の挙動について模式的に示している。このように本実施形態においても、バッフル７における洗濯槽１ｂの先端１ｄ近傍に調整水Wが集中するようになっているので、最も少ない注水量であっても、その調整水Wがバッフル７のすなわち洗濯槽１ｂの先端１ｄに設けられた優先貯留領域７５ａ内に優先して集中するようになっているので、バッフル７への注水量が少量、換言すればバッフル７への注水回数が少なくとも洗濯槽１ｂの偏心を有効に解消できるようになっている。また本実施形態では、バッフル７への注水回数が増すごとに調整水Wは定量的に増加するが、上記実施形態とは異なり、洗濯槽１ｂへ加えることができる加重は注水回数に比例して上昇していくようになっている。加えて、出口部７２は上記実施形態同様、注水装置１ｃにより一定量以上注水された調整水Wを洗濯槽１ｂの基端１ｅ側から排出助長領域７５ｂへ向けて排出させ得るように仕切立壁の先端１ｄから連続して設けられている。
【００５６】
以上のように、本実施形態に係る洗濯機１であっても上記実施形態同様、調整水Wの注水の要する時間や機会を有効に削減することができ、洗濯物の偏在による運転時間の遅延を有効に回避することができる。
【００５７】
特に本実施形態によれば、簡素な構成であってもバランス調整をより少ない調整水Wにより行い得る効果を得ることができる。
【００５８】
＜第三実施形態＞
【００５９】
本発明の第三実施形態に係る洗濯機１は、図５に示すように、洗濯槽１ｂが、軸線Ｓ１方向が略垂直方向に延出する、所謂縦型全自動洗濯機と称される洗濯機１に本発明を適用したものである。
【００６０】
このような縦型全自動洗濯機１では、ドラム２の底部２ｃ中央には、パルセータ（撹拌翼）４が回転自在に配置される。図５に示すように、パルセータ４は、略円盤形状のパルセータ本体と、パルセータ本体の上面に形成される複数の羽根部とを有する通常のものである。このようなパルセータ４は、外槽３内に貯留された洗濯水を撹拌して水流を発生させる。
【００６１】
駆動装置４０は、図５に示すように、図示しないモータを主体とし、ドラム２の底部２ｃに向けて延出する駆動軸１７を回転させて、ドラム２やパルセータ４に駆動力を与え、ドラム２やパルセータ４を回転させる。洗濯機１は、洗い工程では主としてパルセータ４のみを回転させ、脱水工程ではドラム２とパルセータ４とを一体的に高速で回転させる。
【００６２】
同図に示すように、本実施形態に係る洗濯機１は上記各実施形態同様、基端１ｅ側に駆動装置４０を配するとともに先端１ｄ側を開口させてなる洗濯槽１ｂと、洗濯槽１ｂの軸線Ｓ１方向に沿って当該洗濯槽１ｂの内周面であるドラム２の内周面２ａ１に配設される複数の中空のバランサたるバッフル７と、バッフル７の各々に個別に調整水Wを注水する注水装置１ｃとを備え、注水装置１ｃにより洗濯槽１ｂの先端１ｄ側から注水された調整水Wの基端１ｅ側への流れを抑制することにより調整水Wを先端１ｄ側に滞留させ得る仕切部７１と、注水された調整水Wを洗濯槽１ｂの基端１ｅ側から排出させ得る出口部７２とを有している。
【００６３】
ここで、以下、本実施形態に係る洗濯機１が有するバッフル７について説明する。なお本実施形態に係るバッフル７は洗い工程において洗濯物の上方から洗濯水を注水するという、所謂滝洗いが可能なように構成及び制御されるものであるが、当該態様についての説明は省略する。
【００６４】
仕切部７１は、本実施形態では、バッフル７の内壁面から突出して形成された貯留壁７６を有している。そしてこの貯留壁７６は、その上面側に、下方への調整水Wの落下を抑制し得る貯留用底面７７を有している。本実施形態では当該貯留壁７６をバッフル７の上下方向中間よりもやや上側の位置に一つ設けた態様を図示しているが勿論、上下方向に複数の貯留壁７６を設けたものとしたり、貯留用底面７７が傾斜したものであったりしても良いことは勿論である。
【００６５】
出口部７２は、本実施形態では調整水Wを下方へ落下させ得る開口たる落下口７８を有している。この落下口７８は、本実施形態では同図に示すように、貯留壁７６に設けられた孔であったり、スリットであったり、調整水Ｗが貯留壁７６から落下し得るように形成しているが、本実施形態では例えば、調整水Ｗが注水される時間当たりの水量が、落下口７８から調整水Ｗが落下する時間当たりの水量よりも多く設定されることで、貯留用底面７７上に調整水Ｗが貯留される態様としている。
【００６６】
そして図５では、脱水工程中に複数回調整水Wが注水されるバッフル７の挙動について模式的に示している。このように、同図では一回毎の調整水Wの注水を断面にて示している。一回目の注水において、バッフル７の貯留用底面７７よりも上側すなわち先端１ｄ近傍に調整水Wが集中するようになっているので、も少ない注水量であっても、換言すればバッフル７への注水回数が少なかったり注水時間が短かったりしても洗濯槽１ｂの偏心を有効に解消できるようになっている。なお、バッフル７への注水回数が増すごとに、調整水Wは定量的に増加するが、本実施形態では調整水Ｗの水位が上昇することにより洗濯槽１ｂへ加えることができる加重すなわちアンバランス解消効果は逓増していく。
【００６７】
以上のように、本実施形態に係る洗濯機１であっても上記実施形態同様、仕切部７１を設けることにより調整水Wを、洗濯槽１ｂのアンバランスの影響が最も顕著に表れる、駆動装置４０から最も離間した箇所である洗濯槽１ｂの先端１ｄ側に重点的に貯留させることで、同じ調整水Wの量で先端１ｄ側から基端１ｅ側まで均一に配したときよりも、より洗濯槽１ｂに大きな加重を加えることができる。これにより、脱水運転時に洗濯槽１ｂのアンバランスを確実且つ速やかに解消することができる。その結果、調整水Wの量の節約が可能となるのみならず、調整水Wの注水の要する時間や機会を有効に削減することができ、洗濯物の偏在による運転時間の遅延を有効に回避することができる。
【００６８】
また、洗濯槽１ｂが、軸線Ｓ１方向が略垂直方向に延出するものであり、仕切部７１が、バッフル７の内壁面から突出して下方への調整水Wの落下を抑制し得る貯留用底面を有するとともに、出口部７２が、貯留用底面から調整水Wを下方へ落下させ得る開口を有している本発明によれば、所謂縦型の洗濯機１であっても、脱水槽の偏心による振動や騒音の発生を抑制できるという効果を、より少ない調整水Wの量でより短時間に実現し、運転時間の遅延を有効に回避することがすることができる。
【００６９】
以上、本発明の一実施形態について説明したが、本実施形態の構成は上述したものに限定されず、種々の変形が可能である。
【００７０】
例えば、上記実施形態では受水ユニットが３つの導水樋で構成され、それに対応して３つのバッフルが設けられるが、これに限らず、バッフルが３個以上設けられ、かつ導水樋がバッフルと同数設けられる構成であればよい。また、受水ユニットは、複数の導水樋が上下方向に重層されてなる構成であってもよく、これにより、受水ユニットの横幅を狭くして、ドラムの開口を広げることができる。さらに、バッフルは、洗濯機の動作（状況）に応じて、上広がり、或いは下広がりの形状であってもよい。
【００７１】
また、上記実施形態ではバッフルの仕切部として、傾斜面を有した傾斜壁と、仕切立壁とを適用する態様をそれぞれ別の実施形態にて開示したが勿論、これら傾斜壁並びに仕切立壁を併用した態様としても良い。
【００７２】
その他の構成も、本発明の趣旨を逸脱しない範囲で種々変形が可能である。
【符号の説明】
【００７３】
１・・・洗濯機
１ｂ・・・洗濯槽
１ｃ・・・注水装置
２・・・ドラム
２０・・・内槽
４０・・・駆動装置
７・・・バランサ（バッフル）
７１・・・仕切部
７２・・・出口部
７３・・・傾斜壁
７４・・・傾斜面
７５・・・仕切立壁
７６・・・貯留壁
７７・・・貯留用底面
７８・・・開口（落下口）
【図１】
0006736807.tif 000002
【図２】
0006736807.tif 000003
【図３】
0006736807.tif 000004
【図４】
0006736807.tif 000005
【図５】
0006736807.tif 000006